(57)【要約】【課題】  屋外に簡単に設置することができ、現場の状況に応じて目隠しの高さを調節可能とした露天風呂ユニットを提案する。【解決手段】  四隅の基礎１０上に立設する支柱１１、壁面を形成するための下枠１２、浴槽２０及び床面を所定の高さ位置に設けるための支持枠、支柱１１の捩れ強度を補強する補強枠等を接合した枠体を形成し、支柱１１に接合したチャンネル材１４に、板材１５の左右両端を上方から順次挿入して横貼りし、外部から浴室内を遮断する壁面を形成し、板材１５の枚数を現場の状況に応じて可変としたことを特徴とする。【選択図】  図１
2006299718.tif 000002
【特許請求の範囲】
【請求項１】
四隅の基礎１０上に立設する支柱１１、壁面を形成するための下枠１２、浴槽２０及び床面を所定の高さ位置に設けるための支持枠、支柱１１の捩れ強度を補強する補強枠等を接合した枠体を形成し、
支柱１１に接合したチャンネル材１４に、板材１５の左右両端を上方から順次挿入して横貼りし、外部から浴室内を遮断する壁面を形成し、板材１５の枚数を現場の状況に応じて可変としたことを特徴とする露天風呂ユニット。
【請求項２】
板材１５と同じ横寸法の枠板１６にサッシ窓１７を取り付けた窓ユニットを形成し、枠板１６の左右側端を上方からチャンネル材１４に挿入することで、任意の壁面及び高さ位置にサッシ窓１７を取り付け可能とした請求項１に記載の露天風呂ユニット。
【請求項３】
枠体の平面形状を正方形とした請求項１叉は２に記載の露天風呂ユニット。
【発明の詳細な説明】
【技術分野】
【０００１】
この発明は、庭や屋上等に設置して家庭で露天風呂の趣を味わうことができるとともに、工事現場、キャンプ場、被災地等で屋外に簡単に設置することができる露天風呂ユニットに関するものである。
【背景技術】
【０００２】
従来、家庭用の露天風呂ユニットとして、浴槽を組み立てて庭、ベランダ、屋上等に設置する組立式のものが市販されている。また、工事現場、キャンプ場等では、簡単に設置可能な風呂設備が求められている。さらに、地震等の災害時に多数の被災者が発生し、避難所での生活が長期に至ると、入浴が切実な要求となるが、これらの需要に対して簡単に設置可能な風呂ユニットはなかつた。
【発明の開示】
【発明が解決しようとする課題】
【０００３】
こうした需要に対して入浴設備を設けるために、浴槽と給湯機叉は釜を設置し、水とガスを配管することができれば入浴可能となるが、屋外に設置するには、外部から浴室内を遮断する目隠し手段が最も重要である。これは、家庭用の露天風呂ユニットであっても同様であり、庭や屋上等に露天風呂の趣を味わう浴室を増築することは、極めてコストが高い。
【０００４】
この発明は、屋外に簡単に設置することができ、現場の状況に応じて目隠しの高さを調節可能とした露天風呂ユニットを提案するもので、庭や屋上等に設置して家庭で露天風呂の趣を味わうことができるとともに、工事現場、キャンプ場、被災地等での需要に対して、廉価な入浴設備として利用可能な露天風呂ユニットを提案するものである。
【課題を解決するための手段】
【０００５】
これらの課題を解決するために、この発明の露天風呂ユニットは、四隅の基礎１０上に立設する支柱１１、壁面を形成するための下枠１２、浴槽２０及び床面を所定の高さ位置に設けるための支持枠、支柱１１の捩れ強度を補強する補強枠等を接合した枠体を形成し、支柱１１に接合したチャンネル材１４に、板材１５の左右両端を上方から順次挿入して横貼りし、外部から浴室内を遮断する壁面を形成し、板材１５の枚数を現場の状況に応じて可変としたことを特徴とするものである。
【０００６】
また、板材１５と同じ横寸法の枠板１６にサッシ窓１７を取り付けた窓ユニットを形成し、枠板１６の左右側端を上方からチャンネル材１４に挿入することで、任意の壁面及び高さ位置にサッシ窓１７を取り付け可能とするものである。
【０００７】
また、枠体の平面形状を正方形とするものである。
【発明の効果】
【０００８】
この発明の露天風呂ユニットは、支柱１１、下枠１２、支持枠、補強枠等を接合した枠体を工場で組み付け（溶接）することで、軽量であるから搬送、設置も容易となり、この枠体に現場にて浴槽２０、床面、壁面を取り付けて屋外に簡単に設置することができる。また、板材１５の左右両端をチャンネル材１４に上方から順次挿入して横貼りし、外部から浴室内を遮断する壁面を形成することができるとともに、板材１５の枚数が可変であるから、現場の状況が壁全面を目隠しする必要がなく、景観を楽しみたい場合は、板材１５を適当な高さ位置までとし、あるいは全く貼らずに壁全面を開放することもできる。このようにして壁全面を開放してこの開放面を掃き出し窓や勝手口等に連結し、家屋に連結して設置することで、浴室内への出入りの便宜を図ることもできる。
【０００９】
また、板材１５と同じ横寸法の枠板１６にサッシ窓１７を取り付けた窓ユニットを用いることで、現場の状況に応じて任意の壁面及び高さ位置にサッシ窓１７を取り付け可能である。
【００１０】
また、枠体の平面形状を正方形とすることで、板材１５、窓ユニットを何れの壁面にも用いることができ、部品の共通化で部品点数が削減され、設置の自由度の向上を図ることができる。
【発明を実施するための最良の形態】
【００１１】
以下に、この発明を実施するための最良の形態について、図面の実施例に基づいて具体的に説明する。
図１から５は、この発明の実施例である露天風呂ユニットを屋外に設置した状態を示し、図１は露天風呂ユニットの正面図、図２は左側面図、図３は右側面図、図４は背面図、図５は平面図である。図の実施例において、四隅にピンコロ等の基礎１０が設置され、金属製角柱の支柱１１が下端を基礎１０に挿入して立設されている。
【００１２】
壁面の下端に相当する所定の高さ位置に、同じく角柱の下枠１２が両端を支柱１１に接合して横架されている。この下枠１２と略同じ高さ位置に、浴槽２０、床面（洗い場）を支持するためのアングル材１３が、図６に示すように、周縁とその間の適宜の位置に水平に掛け渡して配置されている。浴槽２０は、周縁をフランジ形状とした埋め込み式の市販品が用いられ、周縁フランジ部をアングル材１３に渡し掛けて設置されている。床面は、浴槽２０の部分を除いた全面に板材２２をアングル材１３に渡し掛け、スノコ状に形成されている。
【００１３】
支柱１１の上端から下枠１２に至る全長のコの字形のチャンネル材１４が、支柱１１の側面に接合され、図９に示すように、壁面を形成する側面に接合されている。このチャンネル材１４に、支柱１１の間隔の全長に切断した板材１５を、その左右両端を上方から順次挿入して横貼りし、外部から浴室内を遮断する目隠しとしての壁面を形成している。図１に示す正面は、支柱１１の上端まで板材１５を面張りしている。板材１５の素材としては、耐水性を有する杉、檜等の木材の他、外壁材として汎用されているサイディング材を用いることができる。
【００１４】
図２に示す左側面は、３枚の板材１５を横貼りした上段に、板材１５と同じ横寸法の枠板１６にサッシ窓１７を取り付けた窓ユニットを、枠板１６の左右側端を上方からチャンネル材１４に挿入し、さらにその上段に３枚の板材１５を上端まで横貼りして壁面を形成している。このように形成した窓ユニットを用いることで、任意の壁面及び高さ位置にサッシ窓１７を取り付け可能としている。
【００１５】
図３に示す右側面は、４枚の板材１５を横貼りし、上段の空間を開放して壁面を形成している。このように、現場の状況が壁全面を目隠しする必要がなく、景観を楽しみたい場合は、板材１５を適当な高さ位置までとし、あるいは全く貼らずに壁全面を開放することもできる。
【００１６】
図４に示す背面には、浴室内に出入りするためのドア１８が設けられている。ドア１８を吊るための支柱１１ａが下枠１２に接合して立設され、支柱１１ａの側面にチャンネル材１４ａが接合され、他の壁面で用いる板材１５より短い全長の板材１５ａを、その左右両端をチャンネル材１４、１４ａに上方から順次挿入して上端まで横貼りしている。ドア１８の上段にはチャンネル材１４ｂがコの字状に接合され、このチャンネル材１４ｃに板材１５ｂが嵌め込まれている。
【００１７】
支柱１１の頂面にＵ字金具２５が取り付けられ、支柱１１の上端にはアングル材２６が接合して横架され、支柱１１の捩れ強度を補強している。図５に示す平面図において、３０はドア１８への階段、３２は壁面に取り付けられる給湯機、３４はこの給湯機３２へガスを供給するプロパンガスボンベである。水道から給湯機３２へ配管し、蛇口３３から浴槽２０へ給湯する。
【００１８】
次に、この露天風呂ユニットの設置の手順について説明する。
支柱１１、下枠１２、アングル材１３、チャンネル材１４、アングル材２６を工場で溶接して枠体を製作し、この枠体と板材１５、浴槽２０、板材２２等の構成部材が現場に搬送される。所定の位置に四隅の基礎１０を設置し、枠体を荷下ろしして支柱１１の下端を基礎１０に挿入して立設する。Ｕ字金具２５は、枠体の荷揚げ、荷下ろしにクレーンを使用してリフトする場合の吊り具として使用することができる。
【００１９】
次に、浴槽２０の周縁フランジ部をアングル材１３に渡し掛けて設置する。床面は、アングル材１３上に枕木２３を敷設し、これに板材２２を順次固定してスノコ状に敷設し、浴槽２０の部分を除いた全面に形成される（図７、８参照）。次に、背面にドア１８を取り付け、上記したように、板材１５、１５ａを順次横貼りして各壁面を形成する。図１０に示すように、板材１５は相欠け継ぎ状に横貼りされる。
【００２０】
次に、給湯機３２を任意の壁面に取り付け、プロパンガスボンベ３４を設置し、給湯機３２用の電源を配線し、近くの水道から給湯機３２へ配管する。近くに側溝がある場合には、浴槽２０の排水口に排水ホースを接続してこれに導くようにし、ベランダ、屋上等に設置した場合は、ベランダ、屋上の排水口に導くようにしてもよい。
【００２１】
図１１は床面の他の実施例である。この実施例は、床面を樹脂成形した１枚の床板２８で形成したものである。床板２８は周縁を立ち上げて防水パン状に形成され、周縁をアングル材１３に渡し掛け、浴槽２０の部分を除いた全面を一枚の床面として形成している。
【００２２】
以上、実施例について説明したが、この発明の露天風呂ユニットは、それぞれの需要に対して様々な適用が可能である。例えば、高級な浴槽、泡風呂等を用い、板材１５、板材２２に檜を用いるなどして家庭用の高級仕様とし、工事現場、キャンプ場、被災地等での使用には、安価な浴槽、サイディング材を用いた廉価仕様とするなどの商品展開が可能である。特に、表面を焼いた板材（例えば焼杉）を用いれば、耐久性、防腐性、耐水性の向上が図られるとともに、肌触りも良く、木目が際だち意匠・デザイン的にも極めて特徴的な露天風呂ユニットを提供することができる。
【００２３】
また、枠体を部分的に工場にて製作し、現場にいてボルト締めして組み立てるようにしてもよいし、給湯機３２に代わって釜を用い、浴槽２０内の水を循環させて沸かすようにしてもよい。
【図面の簡単な説明】
【００２４】
【図１】この発明の実施例の正面図。
【図２】左側面図。
【図３】右側面図。
【図４】背面図。
【図５】平面図。
【図６】浴槽、床面を支持するためのアングル材の配置を示す平面図。
【図７】浴槽、床面の設置状態を示す平面図。
【図８】床板の敷設状態を示す断面図。
【図９】チャンネル材の接合状態を示す平面図。
【図１０】板材の施工状態を示す断面図。
【図１１】床面の他の実施例で、浴槽、床面の設置状態を示す平面図。
【符号の説明】
【００２５】
１０  基礎
１１  支柱
１２  下枠
１４  チャンネル材
１５  板材
１６  枠板
１７  サッシ窓
２０  浴槽
【図１】
2006299718.tif 000003
【図２】
2006299718.tif 000004
【図３】
2006299718.tif 000005
【図４】
2006299718.tif 000006
【図５】
2006299718.tif 000007
【図６】
2006299718.tif 000008
【図７】
2006299718.tif 000009
【図８】
2006299718.tif 000010
【図９】
2006299718.tif 000011
【図１０】
2006299718.tif 000012
【図１１】
2006299718.tif 000013